(57)【要約】  【課題】  路線毎の各駅に設置された複数の指令電話機および指令放送装置をグループ化し、定時毎に、選択されたグループに対して自動的に呼び出して時報一斉放送が可能な利便性ならびに使い勝手に優れた時報一斉放送システムを提供する。  【解決手段】  指令卓ライン回路３ａ〜３ｊと、デジタル専用線トランク４と、親時計装置５と、時刻情報検出ユニット６と、時報一斉放送用音源７と、指令卓８ａ〜８ｊと、パソコン９と、定時刻の一斉指令放送の相手先である複数の指令電話機および指令放送装置（指令電話機／指令放送装置１４ａ１〜１４ａｐ〜指令電話機／指令放送装置１４ｎ１〜１４ｎｋ）をグループＧA1〜グループＧAnにグループ化し、親時計装置５からの時刻修正情報に基づいて時報単位で、設定された各グループを呼び出し、自動的に時報一斉放送を行う時報一斉放送指令手段１８を備えた指令制御装置２とを統合指令室に設ける。【選択図】  図１
2006180390.tif 000002
【特許請求の範囲】
【請求項１】
統合指令室に設置し、親時計装置からの時刻補正情報を検出する時刻情報検出ユニット、指令卓を接続する指令卓ライン回路、ディジタル専用線トランク、時報一斉放送用音源を収容する指令制御装置と、路線毎の主要駅に設置し、それぞれ複数の指令電話子機や指令放送装置を接続する指令用ライン回路、ディジタル専用線トランクを収容する対抗指令制御装置と、前記指令制御装置と複数の前記対抗指令制御装置を接続するネットワークと、からなる時報一斉放送システムであって、
前記指令制御装置は、定時刻の一斉指令放送の相手先である複数の指令電話機および指令放送装置をグループ化し、前記親時計装置からの時刻修正情報に基づいて時報単位で、設定された各グループを呼び出し、自動的に時報一斉放送を行う時報一斉放送指令手段を備えたことを特徴とする時報一斉放送システム。
【請求項２】
前記時報一斉放送指令手段は、時報単位に対応して時報一斉放送を行う前記路線毎の呼出し対象となる各グループの発信情報を格納する記憶手段と、前記記憶手段に格納された前記各グループの発信情報を読み出して対応する前記対抗指令制御装置に送信する制御を行う制御手段と、を備えたことを特徴とする請求項１記載の時報一斉放送システム。
【請求項３】
前記各グループの発信情報は、グループを形成する各指令電話機および各指令放送装置の電話番号であることを特徴とする請求項２記載の時報一斉放送システム。
【請求項４】
時報単位に対応して時報一斉放送を行う複数の指令電話機および指令放送装置の発信情報をグループ化して登録する入力装置を備えたことを特徴とする請求項１記載の時報一斉放送システム。
【請求項５】
前記指令卓は、路線毎に対応して設け、複数の指令電話機および指令放送装置をグループ化したグループキー、個別の指令電話機キー、個別の指令放送装キー、一斉指令キー、再呼キー、時報確認キーの表示付キーを備えたことを特徴とする請求項１記載の時報一斉放送システム。
【発明の詳細な説明】
【技術分野】
【０００１】
本発明は統合指令室から各拠点の駅に、定時に時報一斉放送を行う時報一斉放送通信指令システムに係り、特に各駅の複数の指令電話機および指令放送装置をグループ化し、定時毎に、選択されたグループに対して時報一斉放送が聴取可能な時報一斉放送通信指令システムに関する。
【背景技術】
【０００２】
図６に従来の時報一斉放送システムの要部ブロック構成図を示す。図６において、時報一斉放送システム５０は、指令制御装置５１、指令卓ライン回路５２ａ〜５２ｋ、指令卓５３ａ〜５３ｋ、指令専用ライン回路５４ａ〜５４ｎ、指令電話機や指令放送装置５５ａ〜５５ｎ、親時計５６、時刻情報検出ユニット５７、時報一斉放送用音源５８を備える。
【０００３】
指令制御装置５１は、指令卓５３ａからの発信情報を指令卓ライン回路５２ａ、指令専用ライン回路５４ａ〜５４ｎを介して複数の指令電話機や指令放送装置５５ａ〜５５ｎを呼び出す交換機能を備えるとともに、複数の指令電話機や指令放送装置５５ａ〜５５ｎが応答したことを指令卓５３ａに通知する。
【０００４】
指令卓５３ａは、複数の指令電話機や指令放送装置５５ａ〜５５ｎを呼び出し、指令電話機や指令放送装置５５ａ〜５５ｎが応答した通話状態において、指令卓ライン回路５２ａを介して通話データの送受信を行う。
【０００５】
指令卓５３ａ〜５３ｋは、主に統合指令室のデスク上に置かれるか、またはデスク内部に組み込まれ、デジタル音声信号をアナログ音声信号に変換するコーデックや回線構成情報（回線名称データ）を蓄積するメモリが内蔵されている。また、指令卓５３ａ〜５３ｋは、回線名称を表示する照光式キースイッチ（回線キー）などが備えられている。
【０００６】
指令電話機や指令放送装置５５ａ〜５５ｎは、主に各駅のホームや駅務室に設置され、指令専用ライン回路５４ａ〜５４ｎを介して指令制御装置５１に接続される２線式アナログ電話機および２線式放送装置である。
【０００７】
指令電話機は、指令着信応答時（オフフック状態）に、指令制御装置５１に対して応答情報（ループ信号）を送出したり、オフフック操作により、自動的に指令卓５３ａを呼び出す機能を備える。
【０００８】
指令放送装置は、指令着信時に、自動的に応答情報（ループ信号）を送出したり、放送アンプを起動してスピーカ放送する機能を備える。
【０００９】
親時計５６は、基地局からの電波を受信して時刻補正する時計装置であり、例えば早朝５時（電車始発前点呼）、正午および深夜２２時の業務引継ぎ連絡時間帯に接点情報を出力し、指令制御装置５１に搭載された時刻情報検出ユニット５７で検出後、指令専用ライン回路５４ａ〜５４ｎを介して指令電話機や指令放送装置５５ａ〜５５ｎの応答した端末にのみ、時報一斉放送用音源５８から時刻音声案内音声を一斉に放送する。
【００１０】
時報一斉放送用音源５８は、予め時刻情報検出ユニット５７により検出された時間毎の音声メッセージが格納されており、例えば早朝５時の時報の場合、直前に呼び出された指令電話機や指令放送装置５５ａ〜５５ｎの応答後に、『只今から午前５時の時報をお知らせ致します。プッ  プッ  プッ  ポーン』と、親時計５６の時報に一致したタイミングで各駅の端末（指令電話機や指令放送装置５５ａ〜５５ｎ）に対して時報音源を出力する。
【００１１】
なお、指令制御装置５１は、時報毎に各駅の全ての指令電話機や指令放送装置５５ａ〜５５ｎへ時報一斉放送を行う。
【００１２】
また、従来の技術は、「特許文献１」（一斉指令の再呼出方式）に開示されているように、指令台より指令端末装置に対して一斉指令を行った場合、一斉指令に応答しない指令端末装置や話中の指令端末装置があっても、応答のなかった指令端末装置の不応答情報をメモリに記憶しておき、指令台から再呼出し指令操作がなされると、メモリに記憶された不応答情報により、応答のなかった指令端末装置を呼び出すものが知られている。
【特許文献１】特開平７−７９２８７号公報
【発明の開示】
【発明が解決しようとする課題】
【００１３】
従来の時報一斉放送システムは、時報毎に各駅の全ての指令電話機や指令放送装置へ時報一斉放送を実行してしまうため、例えば、正午の時報一斉放送の際には呼び出して欲しいが、早朝５時や深夜１０時の時報一斉放送の際には呼び出さないで欲しい指令電話機や指令放送装置がある場合、各駅に設置された指令電話機や指令放送装置側では、回線の切り離しや放送アンプの電源停止などにより、時報一斉放送が掛からないように、駅務員が手動操作で対応する必要があり、定刻の時報一斉放送後にも駅務員が手動操作で元に戻す作業を忘れたような場合には、次の定刻の時報一斉放送を聞き逃してしまうケースが発生し、手動操作が煩わしい課題や時報一斉放送を聞き逃してしまう虞があり、利便性が低下し、使い勝手が悪い課題がある。
【００１４】
また、「特許文献１」（一斉指令の再呼出方式）に開示された技術でも、定時の一斉指令を除外したい指令端末装置があるケースでは、上記と同じ課題が発生する。
【００１５】
この発明はこのような課題を解決するためになされたもので、その目的は路線毎の各駅に設置された複数の指令電話機および指令放送装置をグループ化し、定時毎に、選択されたグループに対して自動的に呼び出して時報一斉放送が可能な利便性ならびに使い勝手に優れた時報一斉放送システムを提供することにある。
【課題を解決するための手段】
【００１６】
前記課題を解決するためこの発明に係る時報一斉放送システムは、統合指令室に設置し、親時計装置からの時刻補正情報を検出する時刻情報検出ユニット、指令卓を接続する指令卓ライン回路、デジタル専用線トランク、時報一斉放送用音源を収容する指令制御装置と、路線毎の主要駅に設置し、それぞれ複数の指令電話子機や指令放送装置を接続する指令用ライン回路、デジタル専用線トランクを収容する対抗指令制御装置と、指令制御装置と複数の対抗指令制御装置を接続するネットワークと、からなる時報一斉放送システムであって、指令制御装置は、定時刻の一斉指令放送の相手先である複数の指令電話機および指令放送装置をグループ化し、親時計装置からの時刻修正情報に基づいて時報単位で、設定された各グループを呼び出し、自動的に時報一斉放送を行う時報一斉放送指令手段を備えたことを特徴とする。
【００１７】
この発明に係る指令制御装置は、定時刻の一斉指令放送の相手先である複数の指令電話機および指令放送装置をグループ化し、親時計装置からの時刻修正情報に基づいて時報単位で、設定された各グループを呼び出し、自動的に時報一斉放送を行う時報一斉放送指令手段を備えたので、定刻毎の時報一斉放送を行う指令電話機および指令放送装置をグループ化して設定するだけで、自動的に対象となる指令電話機および指令放送装置のグループを呼び出して定刻毎の時報一斉放送を選択的に行うことができる。
【００１８】
また、この発明に係る時報一斉放送指令手段は、時報単位に対応して時報一斉放送を行う路線毎の呼出し対象となる各グループの発信情報を格納する記憶手段と、記憶手段に格納された各グループの発信情報を読み出して対応する対抗指令制御装置に送信する制御を行う制御手段とを備えたことを特徴とする。
【００１９】
この発明に係る時報一斉放送指令手段は、時報単位に対応して時報一斉放送を行う路線毎の呼出し対象となる各グループの発信情報を格納する記憶手段と、記憶手段に格納された各グループの発信情報を読み出して対応する対抗指令制御装置に送信する制御を行う制御手段とを備えたので、各グループの発信情報の設定という単純な作業だけで、定刻に呼び出す指令電話機および指令放送装置を決定し、定刻毎の時報一斉放送を実行することができる。
【００２０】
さらに、この発明に係る各グループの発信情報は、グループを形成する各指令電話機および各指令放送装置の電話番号であることを特徴とする。
【００２１】
この発明に係る各グループの発信情報は、グループを形成する各指令電話機および各指令放送装置の電話番号であるので、実際の各指令電話機および各指令放送装置の電話番号との共通化を図ることができる。
【００２２】
また、この発明に係る時報一斉放送システムは、時報単位に対応して時報一斉放送を行う複数の指令電話機および指令放送装置の発信情報をグループ化して登録する入力装置を備えたことを特徴とする。
【００２３】
この発明に係る時報一斉放送システムは、時報単位に対応して時報一斉放送を行う複数の指令電話機および指令放送装置の発信情報をグループ化して登録する入力装置を備えたので、指令電話機および指令放送装置の発信情報のグループ化を容易に設定することができる。
【００２４】
さらに、この発明に係る指令卓は、路線毎に対応して設け、複数の指令電話機および指令放送装置をグループ化したグループ指令キー、個別の指令電話機キー、個別の指令放送装キー、一斉指令キー、再呼キー、時報確認キーの表示付キーを備えたことを特徴とする。
【００２５】
この発明に係る指令卓は、路線毎に対応して設け、複数の指令電話機および指令放送装置をグループ化したグループ指令キー、個別の指令電話機キー、個別の指令放送装キー、一斉指令キー、再呼キー、時報確認キーの表示付キーを備えたので、時報一斉放送に応答または不応答の指令電話機および指令放送装置をグループ単位で表示することができる。
【発明の効果】
【００２６】
この発明に係る指令制御装置は、定時刻の一斉指令放送の相手先である複数の指令電話機および指令放送装置をグループ化し、親時計装置からの時刻修正情報に基づいて時報単位で、設定された各グループを呼び出し、自動的に時報一斉放送を行う時報一斉放送指令手段を備えたので、定刻毎の時報一斉放送を行う指令電話機および指令放送装置をグループ化して設定するだけで、自動的に対象となる指令電話機および指令放送装置のグループを呼び出して定刻毎の時報一斉放送を選択的に行うことができ、利便性の向上ならびに使い勝手の良さをアピールすることができる。
【００２７】
また、この発明に係る時報一斉放送指令手段は、時報単位に対応して時報一斉放送を行う路線毎の呼出し対象となる各グループの発信情報を格納する記憶手段と、記憶手段に格納された各グループの発信情報を読み出して対応する対抗指令制御装置に送信する制御を行う制御手段とを備えたので、各グループの発信情報の設定という単純な作業だけで、定刻に呼び出す指令電話機および指令放送装置を決定し、定刻毎の時報一斉放送を実行することができ、グループの追加または削除に自由度を持たせ、システムの拡張性を高めることができる。
【００２８】
さらに、この発明に係る各グループの発信情報は、グループを形成する各指令電話機および各指令放送装置の電話番号であるので、実際の各指令電話機および各指令放送装置の電話番号との共通化を図ることができ、単純な構成でグループ化を実現することができる。
【００２９】
また、この発明に係る時報一斉放送システムは、時報単位に対応して時報一斉放送を行う複数の指令電話機および指令放送装置の発信情報をグループ化して登録する入力装置を備えたので、指令電話機および指令放送装置の発信情報のグループ化を容易に設定することができ、時報一斉放送の対象となる指令電話機および指令放送装置のグループ化を効率的に設定することができる。
【００３０】
さらに、この発明に係る指令卓は、路線毎に対応して設け、複数の指令電話機および指令放送装置をグループ化したグループ指令キー、個別の指令電話機キー、個別の指令放送装キー、一斉指令キー、再呼キー、時報確認キーの表示付キーを備えたので、時報一斉放送に応答または不応答の指令電話機および指令放送装置をグループ単位で表示することができ、統合指令室の指令員は、時報一斉放送の応答状態を目視確認することができる。
【発明を実施するための最良の形態】
【００３１】
以下、この発明の実施の形態を添付図面に基づいて説明する。本発明の時報一斉放送システムは、鉄道会社向けの通信設備であり、統括指令室に指令制御装置を設置し、路線毎（例えば、地下鉄の各路線）の主要駅に対抗指令制御装置を設置して、統括指令室の路線対応の指令卓と路線毎の主要駅のグループ化した指令電話機および指令放送装置の間との間を接続して一斉放送を送信するものであり、特に定刻（例えば、午前５時、正午、午後１０時）に、自動的に統括指令室の指令制御装置から路線毎の主要駅のグループ化した指令電話機および指令放送装置に時報一斉放送を送信するものである。
【００３２】
図１はこの発明に係る時報一斉放送システムの一実施の形態システム構成図である。なお、図１の時報一斉放送システム１には、図面を簡略にするため、統合指令室とＡ路線との間の接続のみを示すが、Ｂ路線〜Ｊ路線が加わっても同様である。図１において、時報一斉放送システム１は、統合指令室に設置する指令制御装置２、指令卓ライン回路３ａ〜３ｊ、デジタル専用線トランク４、親時計装置５、時刻情報検出ユニット６、時報一斉放送用音源７、指令卓８ａ〜８ｊ、入力装置としてのパソコン９と、Ａ路線の主要駅に設置する対向指令制御装置１２ａ、指令ライン回路１３ａ１〜１３ａｐ、指令電話機／指令放送装置１４ａ１〜１４ａｐ、…、指令ライン回路１３ｎ１〜１３ｎｋ、指令電話機／指令放送装置１４ｎ１〜１４ｎｋ、デジタル専用線トランク４ａと、統合指令室のデジタル専用線トランク４とＡ路線の主要駅のデジタル専用線トランク４ａの相互間を搬送装置１０，１０ａを介して接続するＬＡＮなどのネットワーク１１とから構成する。
【００３３】
指令制御装置２は、統合指令室の指令卓８ａからの発信情報を指令卓ライン回路３ａ、デジタル専用線トランク４、搬送装置１０、ネットワーク１１、搬送装置１０ａ、路線Ａの主要駅のデジタル専用線トランク４ａを経由して対向指令制御装置１２ａに送信し、対向指令制御装置１２ａの制御により、グループＧA1を形成する指令ライン回路１３ａ１〜１３ａｐを介して指令電話機／指令放送装置１４ａ１〜１４ａｐ〜グループＧAnを形成する指令ライン回路１３ｎ１〜１３ｎｋを介して指令電話機／指令放送装置１４ｎ１〜１４ｎｋを呼び出すとともに、指令電話機／指令放送装置１４ａ１〜１４ａｐ〜指令電話機／指令放送装置１４ｎ１〜１４ｎｋが応答したことを指令卓８ａに通知する。
【００３４】
なお、統合指令室の指令卓８ａ〜８ｊは、それそれ路線Ａ〜路線Ｊに対応しているので、図示していない対向指令制御装置１２ｂ〜１２ｊのグループＧB1〜ＧBn，グループＧC1〜ＧCn，…，グループＧJ1〜ＧJnの指令電話機や指令放送装置を呼び出すとともに、指令電話機や指令放送装置が応答したことを指令制御装置２から通知される。
【００３５】
指令卓８ａは、グループＧA1〜グループＧAnの指令電話機／指令放送装置１４ａ１〜１４ａｐ〜指令電話機／指令放送装置１４ｎ１〜１４ｎｋを呼び出し、応答したグループの指令電話機や指令放送装置と指令卓ライン回路３ａを介して通話データの送受信を行う。
【００３６】
指令卓８ａ〜８ｊは、統合指令室のデスク上に置かれるかまたはデスク内部に組み込まれ、デジタル音声信号をアナログ音声信号に変換するコーデックや回線構成情報（回線名称データ）を蓄積するメモリを内蔵する。また、指令卓８ａ〜８ｊは、回線名称を表示する表示付キー（回線キー）などを備える。
【００３７】
グループＧA1の指令電話機／指令放送装置１４ａ１〜１４ａｐ〜グループＧAnの指令電話機／指令放送装置１４ｎ１〜１４ｎｋは、Ａ路線の各駅のホームや駅務室に設置し、それぞれ指令ライン回路１３ａ１〜１３ａｐ〜指令ライン回路１３ｎ１〜１３ｎｋを介してＡ路線の主要駅の対向指令制御装置１２ａに接続する２線式アナログ電話機および２線式放送装置である。
【００３８】
指令電話機は、指令着信応答時（オフフック状態）に、対向指令制御装置１２ａの接続制御により、指令制御装置２に対して応答情報（ループ信号）を送出したり、オフフック操作により、対向指令制御装置１２ａ、指令制御装置２を介して自動的に指令卓８ａを呼び出す。
【００３９】
指令放送装置は、指令着信時に、自動的に応答情報（ループ信号）を送出したり、放送アンプを起動してスピーカ放送する機能を備える。
【００４０】
親時計装置５は、基地局からの電波を受信して時刻補正する時計装置であり、例えば早朝５時（電車始発前点呼）、正午および深夜２２時の業務引継ぎ連絡時間帯に接点入力を出力し、時刻情報検出ユニット６で検出後、デジタル専用線トランク４、搬送装置１０，１０ａ、デジタル専用線トランク４ａ、対向指令制御装置１２ａを介してグループＧA1〜グループＧAnの指令電話機や指令放送装置の応答した端末にのみ、時報一斉放送用音源７から時刻音声案内音声を一斉に放送する。
【００４１】
時報一斉放送用音源７は、予め時刻情報検出ユニット６により検出された時間毎の音声メッセージが格納されており、例えば早朝５時の時報の場合、直前に呼び出されたグループＧA1〜グループＧAnの指令電話機／指令放送装置１４ａ１〜１４ａｐ〜指令電話機／指令放送装置１４ｎ１〜１４ｎｋの応答後に、『只今から午前５時の時報をお知らせ致します。プッ  プッ  プッ  ポーン』と、親時計装置５の時報に一致したタイミングで路線Ａの各駅のグループＧA1〜グループＧAnの端末（指令電話機や指令放送装置）に対して時報音源を出力する。
【００４２】
入力手段を構成するパソコン９は、路線ＡのグループＧA1〜グループＧAnの指令電話機／指令放送装置１４ａ１〜１４ａｐ〜指令電話機／指令放送装置１４ｎ１〜１４ｎｋをグループ化して登録し、または削除するので、指令電話機や指令放送装置を自由に登録したり、削除することができる。また、路線Ｂ〜路線Ｊの指令電話機や指令放送装置についても、自由に登録したり、削除することができる。
【００４３】
このように、この発明に係る時報一斉放送システム１は、時報単位に対応して時報一斉放送を行う複数の指令電話機および指令放送装置の発信情報をグループ化して登録する入力装置（パソコン9）を備えたので、指令電話機および指令放送装置の発信情報のグループ化を容易に設定することができ、時報一斉放送の対象となる指令電話機および指令放送装置のグループ化を効率的に設定することができる。
【００４４】
指令制御装置２は、通話路スイッチ、制御手段、記憶手段等で構成し、指令卓ライン回路３ａ〜３ｊ、デジタル専用線トランク４、親時計装置５、時刻情報検出ユニット６、時報一斉放送用音源７、指令卓８ａ〜８ｊ、パソコン９の動作を制御するとともに、時報一斉放送のシーケンスを制御する。
【００４５】
また、指令制御装置２は、定時刻の一斉指令放送の相手先である複数の指令電話機および指令放送装置（指令電話機／指令放送装置１４ａ１〜１４ａｐ〜指令電話機／指令放送装置１４ｎ１〜１４ｎｋ）をグループＧA1〜グループＧAnにグループ化し、親時計装置５からの時刻修正情報（接点入力）に基づいて時報単位で、設定された各グループを呼び出し、自動的に時報一斉放送を行う時報一斉放送指令手段１８を備える。
【００４６】
図２はこの発明に係る指令制御装置の一実施の形態要部ブロック構成図である。図２において、指令制御装置２は、通話路スイッチ１５、制御手段１６、記憶手段１７を備え、相互間を制御バスＢＵで接続する。
【００４７】
時報一斉通報指令手段１８は、時報単位に対応して時報一斉放送を行う路線Ａ〜Ｊ毎の呼出し対象となる各グループ（グループＧA1〜グループＧAn、グループＧB1〜グループＧBn、…、グループＧJ1〜グループＧJn）の発信情報を格納する記憶手段１７と、記憶手段１７に格納された各グループの発信情報を読み出して対応する対抗指令制御装置１２ａ〜１２Ｊに送信する制御を行う制御手段１６とを備える。
【００４８】
図３はこの発明に係る記憶手段の一実施の形態グループデータイメージ図である。図３において、記憶手段１７は、午前５時、正午および午後１０時の定時毎に、路線（路線Ａ〜路線Ｊ）に対応した時報一斉放送の対象となる指令電話機および指令放送装置のグループを格納する。
【００４９】
例えば、路線Ａについては、午前５時の時報一斉放送の対象となるグループは、グループＧA1〜グループＧAnの内、ＧA1，ＧA2，ＧA3，ＧAk，ＧAnのグループが設定され、正午の時報一斉放送の対象となるグループは、ＧA1〜ＧAnの全てのグループが設定され、午後１０時の時報一斉放送の対象となるグループは、ＧA1，ＧA7，ＧAkが設定される。
【００５０】
同様に、路線Ｂ〜路線Ｊについても、午前５時、正午および午後１０時の時報一斉放送の対象となるグループが設定される。
【００５１】
なお、図３には、グループ名を記載したが、例えば路線ＡのグループＧA1には、グループを形成する指令電話機／指令放送装置１４ａ１〜１４ａｐの電話番号である発信情報も併せて記憶する。
【００５２】
記憶手段１７のグループデータの設定または削除は、パソコン９から実行できるので、路線Ａ〜路線Ｊの指令電話機および指令放送装置のグループを自由に設定することができる。
【００５３】
このように、この発明に係る時報一斉放送指令手段１８は、時報単位に対応して時報一斉放送を行う路線Ａ〜Ｊ毎の呼出し対象となる各グループ（グループＧA1〜ＧAn、…、グループＧJ1〜ＧJn）の発信情報を格納する記憶手段１７と、記憶手段１７に格納された各グループの発信情報を読み出して対応する対向指令制御装置１２ａ〜１２ｊに送信する制御を行う制御手段１６とを備えたので、各グループの発信情報の設定という単純な作業だけで、定刻に呼び出す指令電話機および指令放送装置を決定し、定刻毎の時報一斉放送を実行することができ、グループの追加または削除に自由度を持たせ、システムの拡張性を高めることができる。
【００５４】
また、この発明に係る各グループ（グループＧA1〜ＧAn、…、グループＧJ1〜ＧJn）の発信情報は、グループを形成する各指令電話機および各指令放送装置の電話番号であるので、実際の各指令電話機および各指令放送装置の電話番号との共通化を図ることができ、単純な構成でグループ化を実現することができる。
【００５５】
図４はこの発明に係る指令卓の一実施の形態構成図である。指令卓８ａ〜８ｊは、同じ構成なので、指令卓８ａについて説明する。図４において、指令卓８ａは、路線Ａに対応して設け、路線Ａの各駅に設置されたグループＧA1〜グループＧAnに割当てられたグループ指令キー、一斉指令キー、再呼出キーなどのファンクションキー部、グループＧA1〜グループＧAnの個々の指令電話機や指令放送装置に対応した回線キー部の表示付キーを備え、呼び出しの状況や不応答の状況を表示する。なお、指令卓8ｂ〜8ｊについても同様な構成を有する。
【００５６】
このように、この発明に係る指令卓8ａ〜8ｊは、路線Ａ〜Ｊ毎に対応して設け、複数の指令電話機および指令放送装置をグループ化したグループ指令キー、個別の指令電話機キー、個別の指令放送装置キー、一斉指令キー、再呼キーの表示付キーを備えたので、時報一斉放送に応答または不応答の指令電話機および指令放送装置をグループ単位で表示することができ、統合指令室の指令員は、時報一斉放送の応答状態を目視確認することができる。
【００５７】
次に、時報一斉放送システム1の一斉指令放送および時報一斉放送の動作ついて図１を参照にして説明する。一斉指令放送の場合、指令卓８ａの一斉指令キーの押下により、指令卓ライン回路３ａを介して該当する回線キー（指令電話機キーおよび指令放送装置キー）に対応したデジタル専用線トランク４を捕捉する。
【００５８】
デジタル専用線トランク４は、搬送装置１０およびネットワーク１１を介して相手先（路線Ａ）の搬送装置１０ａおよびデジタル専用線トランク４ａに接続され、デジタル専用線トランク４ａのデジタル制御により、複数の指令ライン回路１３ａ１〜１３ａｐ、…、指令ライン回路１３ｎ１〜１３ｎｋに接続された指令電話機／指令放送装置１４ａ１〜１４ａｐ、…、指令電話機／指令放送装置１４ｎ１〜１４ｎｋの中から指令に該当する指令電話機および指令放送装置を一斉に呼び出す。
【００５９】
該当する指令電話機および指令放送装置が応答（ループ検出）したことを対向指令制御装置１２ａが検出し、指令に応答した指令電話機および指令放送装置に対して指令卓８ａの指令員の指令音声を同時に放送する。
【００６０】
指令電話機および指令放送装置の応答情報は、デジタル専用線トランク４，４ａのデジタル制御により、指令制御装置２に対して応答情報を送出する。
【００６１】
指令制御装置２は、指令卓ライン回路３ａを介して指令卓８ａに応答子機表示情報を送出することにより、指令員は、指令発信後に、路線Ａのどの指令電話機および指令放送装置が応答したかを表示付キーを見て識別することができる。
【００６２】
続いて、時報一斉放送の場合、指令制御装置２は、予め設定された時間になると、その時間単位（グループ単位）で、グループ化されたグループＧA1〜グループＧAnの指令電話機および指令放送装置を自動的に一斉に呼び出すことができる。
【００６３】
この時間単位のデータは、パソコン９からグループＧA1〜グループＧAn毎や指令電話機および指令放送装置毎に任意に設定または変更ができ、時間単位で各路線Ａ〜Ｊの各駅の指令電話機および指令放送装置の呼出しの有無を設定することができる。
【００６４】
また、時報一斉放送が起動すると、指令卓８ａに実装された表示付キーが時間単位で点灯表示するので、指令卓８ａの指令員が時報一斉放送の指令電話機および指令放送装置を目視確認することが可能になる。
【００６５】
また、時報一斉放送の終了後、指令卓８ａの時報確認キーを押下することにより、直前に実行された時報一斉放送に対する未応答の指令電話機および指令放送装置を確認することが可能になり、再度未応答の指令電話機および指令放送装置を任意に呼び出すことが可能となる。
【００６６】
図５はこの発明に係る時報一斉放送の一実施の形態接続シーケンス図である。なお、接続シーケンス図は、路線Ａに時報一斉放送を実施したケースを示し、指令卓８ａの表示付キーの表示状態も併せて示す。
【００６７】
図５において、親時計装置５から接点入力（５時、正午、２２時）が出力され、時刻情報検出ユニット６が接点入力（５時、正午、２２時）を検出して時刻補正情報（５時、正午、２２時）が指令制御装置２に供給されると、指令制御装置２からグループＧA1〜グループＧAnの発信情報が対向指令制御装置１２ａに送信される。
【００６８】
対向指令制御装置１２ａは、呼出信号を指令電話機／指令放送装置１４ａ１〜１４ｎｋに送信して指令電話機／指令放送装置１４ａ１〜１４ｎｋを呼び出す。この時、呼出しの対象となる表示付キー（回線ｉ）が「赤点灯」する。
【００６９】
指令電話機／指令放送装置１４ａ１〜１４ｎｋの中で応答すると、応答信号が対向指令制御装置１２ａに送信され、対向指令制御装置１２ａは、応答情報を指令制御装置２に送信する。
【００７０】
応答情報を受信すると、指令制御装置２から応答した指令電話機／指令放送装置１４ａ１〜１４ｎｋに時報一斉放送が送信され、送信が終了すると、指令制御装置２が復旧し、時報一斉放送を受信した指令電話機／指令放送装置１４ａ１〜１４ｎｋも復旧する。この時、指令卓８ａの指令電話機／指令放送装置１４ａ１〜１４ｎｋに対応した表示付キー（回線ｉ）が消灯する。
【００７１】
続いて、時報確認キーを操作すると、時報確認キーが「緑点灯」し、指令電話機／指令放送装置１４ａ１〜１４ｎｋの内、未応答の表示付キー（回線ｉ）も「緑点灯」する。
【００７２】
未応答の表示付キー（回線ｉ）を押下することにより、指令制御装置２から発信情報が対向指令制御装置１２ａに送信され、対向指令制御装置１２ａから呼出信号が未応答の指令電話機／指令放送装置１４ａ１〜１４ｎｋに送信され、該当する指令電話機／指令放送装置１４ａ１〜１４ｎｋを呼び出すことができる。
【００７３】
以上説明したように、この発明に係る指令制御装置２は、定時刻の一斉指令放送の相手先である複数の指令電話機および指令放送装置をグループ化し、親時計装置５からの時刻修正情報（接点入力）に基づいて時報単位で、設定された各グループを呼び出し、自動的に時報一斉放送を行う時報一斉放送指令手段１８を備えたので、定刻毎の時報一斉放送を行う指令電話機および指令放送装置をグループ化して設定するだけで、自動的に対象となる指令電話機および指令放送装置のグループを呼び出して定刻毎の時報一斉放送を選択的に行うことができ、利便性の向上ならびに使い勝手の良さをアピールすることができる。
【産業上の利用可能性】
【００７４】
この発明に係る時報一斉放送システムは、路線毎の各駅に設置された複数の指令電話機および指令放送装置をグループ化し、定時毎に、選択されたグループに対して自動的に呼び出して時報一斉放送が可能な利便性ならびに使い勝手に優れたもので、鉄道会社の各駅に設置して定時毎に時報一斉放送を行うあらゆる時報一斉放送システムに適用することができる。
【図面の簡単な説明】
【００７５】
【図１】この発明に係る時報一斉放送システムの一実施の形態システム構成図
【図２】この発明に係る指令制御装置の一実施の形態要部ブロック構成図
【図３】この発明に係る記憶手段の一実施の形態グループデータイメージ図
【図４】この発明に係る指令卓の一実施の形態構成図
【図５】この発明に係る時報一斉放送の一実施の形態接続シーケンス図
【図６】従来の時報一斉放送システムの要部ブロック構成図
【符号の説明】
【００７６】
１    時報一斉放送システム
２    指令制御装置
３ａ〜３ｊ    指令卓ライン回路
４，４ａ    デジタル専用線トランク
５    親時計装置
６    時刻情報検出ユニット
７    時報一斉放送用音源
８ａ〜８ｊ    指令卓
９    パソコン
１０，１０ａ    搬送装置
１１    ネットワーク
１２ａ    対向指令制御装置
１３ａ１〜１３ａｐ    指令ライン回路
１３ｎ１〜１３ｎｋ    指令ライン回路
１４ａ１〜１４ａｐ    指令電話機／指令放送装置
１４ｎ１〜１４ｎｋ    指令電話機／指令放送装置
１５    通話路スイッチ
１６    制御手段
１７    記憶手段
１８    時報一斉通報指令手段
ＢＵ    制御バス
【図１】
2006180390.tif 000003
【図２】
2006180390.tif 000004
【図３】
2006180390.tif 000005
【図４】
2006180390.tif 000006
【図５】
2006180390.tif 000007
【図６】
2006180390.tif 000008